【手続補正書】
【提出日】平成17年10月7日(2005.10.7)
【手続補正１】
【補正対象書類名】明細書
【補正対象項目名】全文
【補正方法】変更
【補正の内容】
【書類名】            明細書
【発明の名称】        ネットワーク書画保管システム
【特許請求の範囲】
【請求項１】
認証情報及び課金情報を管理するユーザ管理サーバを保持し、ネットワークを介した通信装置から送信された認証情報が登録済か認証し、登録済であった場合に前記通信装置に書画指定情報および送信先指定情報の送付を要求し、前記通信装置から送付された書画指定情報が指定した書画情報を、前記通信装置から送付された送信先指定情報が指定した送信先に送出し、前記ユーザ管理サーバが管理する課金情報のうち、前記認証情報に対応した課金情報を更新する情報サーバ、を含むネットワーク書画保管システム。
【請求項２】
認証情報及び課金情報を管理するユーザ管理サーバを保持し、ネットワークを介した通信装置から送信された認証情報が登録済か認証し、登録済であった場合に前記通信装置に書画指定情報および送信先指定情報の送付を要求し、前記通信装置から送付された書画指定情報が指定した書画情報を、前記通信装置から送付された送信先指定情報が指定した送信先に送出し、前記ユーザ管理サーバが管理する課金情報のうち、前記認証情報に対応した課金情報を更新する情報サーバと、
前記ネットワークを介して前記情報サーバにアクセスして認証情報を送信し、前記情報サーバからの書画指定情報および送信先指定情報の送信要求に応答して、書画指定情報および送信先指定情報を送信する通信装置と、
を含むネットワーク書画保管システム。
【請求項３】
前記情報サーバは、所定のフォーマットの書画を、送信先の出力デバイスが処理可能な形式のデータに変換する書画フォーマット変換手段を持つ、請求項１又は２に記載のネットワーク文書保管システム。
【請求項４】
前記情報サーバは、送信先の出力デバイスが処理可能な形式の書画とオリジナルの書画とを関連づけて管理する、請求項１乃至３のいずれか１つに記載のネットワーク文書保管システム。
【発明の詳細な説明】
【０００１】
【発明の属する技術分野】
本発明は、インターネットなどのWAN(Wide Area Network:広域ネットワーク)を介して書画を保管しておき、必要な時にどこからでも書画を利用できるサービスを提供するネットワーク文書保管システムに関する。
【０００２】
携帯電話などの小さな表示画面しかない携帯通信装置でも、手近のファクシミリ（ＦＡＸ），プリンタまたは複写機等の画像形成出力装置、もしくはパソコンなどのコンピュータに書画を出力して書画を利用するための技術に関する。
【０００３】
【従来技術】
特開2000-78328号公報に開示の「ネットワークシステム」は、主に、クライアントが所持しない高機能カラープリンタを利用するために、利用可能なプリンタの所在をサーバで管理しておき、クライアントはその中から都合のよい場所にあるプリンタを選択し、プリントしたい書画を送信する、という技術を提示している。
【０００４】
特開平11-3192号公報は、ネットワークを通して、クライアントがリモートプリンタで書画をプリントする「プリントシステムとのネットワーク通信」を開示している。
【０００５】
オフィスまたは家庭などで、手元のパソコン（ＰＣ）上にある書画をネットワーク上のプリンタでプリントアウトすることは、前記公報に開示されたネットワーク通信で可能である。手元のプリンタが故障している場合や、手元のプリンタではプリントできない大きさの用紙を使いたい場合、大量にプリントするには手元のプリンタの速度が遅すぎる場合などには、有用である。
【０００６】
【発明が解決しようとする課題】
出張や外出などで、オフィスや家庭にいない時に、自分のＰＣ上の書画が必要になったとしても、インターネットからアクセスすることは通常は不可能である。これはファイアーウォールで守られていたり、ＩＰアドレスが固定されていなかったりするためである。
【０００７】
必要そうな書画をすべてノートＰＣに入れて、常に持ち歩くようにすれば、いつでも書画にアクセスできるが、１ｋｇ以上ある小さくはない機器をいつも携帯することは一般的とは言えない。
【０００８】
そこで、インターネット上に書画保管サーバを設け、そこに書画を保管するようにする。書画はパスワードなどで認証されたユーザだけがアクセス可能なように管理される。こうしておけば、インターネットにつながるＰＣさえあれば、どこからでも必要な書画を利用できる。
【０００９】
しかしこれだけでは、書画保管サーバに登録したＰＣすなわちクライアントのＰＣがないと書画にアクセスできないという状況は変わらない。書画は一般にはワードプロセッサなどのＰＣ上のアプリケーションプログラム（アプリケーションソフト）を用いて作成されるので、そのアプリケーション（ワープロソフト）がないと、表示することができない。
【００１０】
近年では携帯電話からＷＷＷ(World Wide Web)にアクセスできるサービスが提供されているので、携帯電話から必要な書画にアクセスできることが望ましい。しかし携帯電話では表示画面が小さいので、書画を表示するには不都合である。
【００１１】
携帯電話から、書画保管サーバに、手近のＦＡＸ,プリンタ又は複写機もしくはＰＣで書画をプリントアウトまたは表示することを指示できれば、書画の利用がどこにいても可能になる。これを可能にするシステムを提供することが本発明の第１の目的である。
【００１２】
ＦＡＸ,プリンタ又は複写機もしくはＰＣは、プリントサービスを行なう店舗あるいは、携帯電話ユーザの出向き先での利用を想定している。携帯電話から書画のメール送付を指示できれば、訪問先のオフィスなどでの知人宛に書画をメールし、プリントを依頼することができる。これを可能にするシステムを提供することも本発明の目的、第２の目的、である。
【００１３】
【課題を解決するための手段】
（１）認証情報及び課金情報を管理するユーザ管理サーバ(1a)を保持し、ネットワーク(2)を介した通信装置(3a)から送信された認証情報(ID)が登録済か認証し、登録済であった場合に前記通信装置に書画指定情報および送信先指定情報の送付を要求し、前記通信装置から送付された書画指定情報が指定した書画情報を、前記通信装置から送付された送信先指定情報が指定した送信先に送出し、前記ユーザ管理サーバが管理する課金情報のうち、前記認証情報に対応した課金情報を更新する情報サーバ(1a-1c)、を含むネットワーク書画保管システム。
【００１４】
なお、理解を容易にするためにカッコ内には、図面に示し後述する実施例の対応要素または相当要素の記号を、参考までに付記した。以下も同様である。
【００１５】
これによれば、認証情報(ID)によって保護される情報サーバ(1a-1c)の書画情報に、通信装置(3a)でアクセスして、身近な出力装置(4/6a/6b/3b)に転送して利用できるので、ネットワーク(2)上で書画保管サービスを提供でき、書画が必要になったらいつでも書画にアクセスできる。
【００１６】
【発明の実施の形態】
（２）認証情報及び課金情報を管理するユーザ管理サーバ(1a)を保持し、ネットワーク(2)を介した通信装置(3a)から送信された認証情報(ID)が登録済か認証し、登録済であった場合に前記通信装置に書画指定情報および送信先指定情報の送付を要求し、前記通信装置から送付された書画指定情報が指定した書画情報を、前記通信装置から送付された送信先指定情報が指定した送信先に送出し、前記ユーザ管理サーバが管理する課金情報のうち、前記認証情報に対応した課金情報を更新する情報サーバ(1a-1c)と、
前記ネットワークを介して前記情報サーバにアクセスして認証情報(ID)を送信し、前記情報サーバからの書画指定情報および送信先指定情報の送信要求に応答して、書画指定情報および送信先指定情報を送信する通信装置(3a)と、
を含むネットワーク書画保管システム。
【００１７】
（３）前記情報サーバ(1a-1c)は、所定のフォーマットの書画を、送信先の出力デバイスが処理可能な形式のデータに変換する書画フォーマット変換手段(変換ソフト)を持つ、上記（１）又は（２）に記載のネットワーク文書保管システム。
【００１８】
情報サーバ(1a-1c)が書画内容をＦＡＸ(4)やプリンタ(6a,6b)あるいは複写機もしくは２次元ディスプレイなどが処理可能なデータに変換するので、一般的なワードプロセッサなどで作成した書画を保管しておけば、プリンタやＦＡＸあるいはＣＲＴ，ＬＣＤなどの画像出力デバイスに出力できる。
【００１９】
（４）前記情報サーバ(1a-1c)は、送信先の出力デバイスが処理可能な形式の書画とオリジナルの書画とを関連づけて管理する、上記（１）乃至（３）のいずれか１つに記載のネットワーク文書保管システム。
【００２０】
情報サーバ(1a-1c)に、オリジナルの書画と、プリンタやＦＡＸあるいはＣＲＴ，ＬＣＤなどの画像出力デバイスに出力できるデータとを保管しておけるので、書画を作成したアプリケーションプログラムに関係なく、常に画像出力デバイスに出力できる。
【００２１】
（５）情報サーバ(1a-1c)は、認証情報および課金情報を管理するユーザ管理サーバ(1a)，ユーザＩＤ宛てに書画情報を管理する書画保管サーバ(1b)、および、ユーザの認証および前記携帯通信装置(3a)との通信を行うアプリケーションサーバ(1c)でなる、上記（１）乃至（４）のいずれか１つに記載のネットワーク書画保管システム。
【００２２】
（６）アプリケーションサーバ(1c)は、書画情報をフアクシミリ送信する手段を持ち、前記携帯通信装置(3a)の送信先指定情報が指定するファクシミリ装置(4)に書画情報を送信し、課金情報を更新する、上記（４）又は（５）に記載のネットワーク文書保管システム。
【００２３】
書画保管サーバ(1b)内の書画をいつでもＦＡＸ(4)で受信できるので、必要な書画の表示・配布が可能になる。また課金情報が自動更新されるので、ＦＡＸサービス提供者がユーザから直接料金を回収する必要がなくなる。
【００２４】
（７）アプリケーションサーバ(1c)は、書画情報をプリンタ(6a/6b)に送信する手段を持ち、前記通信装置(3a)の送信先指定情報が指定するプリンタに書画情報を送信すると共に、課金情報を更新する、上記（４）又は（５）のネットワーク文書保管システム。
【００２５】
書画保管サーバ内の書画をいつでもプリントできるので、必要な書画の表示・配布が可能になる。また課金情報が自動更新されるので、プリントサービス提供者がユーザから直接料金を回収する必要がなくなる。
【００２６】
（８）ユーザ情報および総ページ数を記載した出力票も出力する、上記（６）又は（７）記載のネットワーク文書保管システム。
【００２７】
出力したプリントにユーザ情報が記載された送信票がつけられるので、ＦＡＸまたはプリントサービス提供者は、プリントを誰に渡せばよいかを容易に判断できる。送信票にはページ総数も記載されるので、プリントの保管時にページの欠落がないかどうかを容易に確認できる。
【００２８】
（９）アプリケーションサーバ(1c)は、プリント日時予約手段を持つ、上記（７）記載のネットワーク文書保管システム。
【００２９】
プリント日時をユーザが指定できるので、時間帯によってプリント料金を変えることにより、プリント稼働の平滑化が図れる。
【００３０】
（１０）情報サーバ(1a-1c)に、ユーザＩＤ認証情報，ユーザＩＤ宛ての書画情報および書画情報を送信先の出力装置に適合する情報に処理するためのアプリケーションプログラムを保持し；
該情報サーバは、ネットワーク(2)を介した通信装置(3a)からのアクセスに応答して該通信装置(3a)のＩＤが登録済か認証して登録済であると、それに書画指定情報(DT3)および送信先指定情報(DT4)の送付を要求し、送られてきた書画指定情報が指定した書画情報を、必要であれば前記アプリケーションプログラムで処理して、送られてきた送信先指定情報が指定した宛先に送出し；
携帯通信装置(3a)が、前記ネットワーク(2)を介して前記情報サーバ(1a-1c)にアクセスして自己のＩＤを与え、情報サーバの書画指定情報(DT3)および送信先指定情報(DT4)の送付要求に応答して、書画指定情報および自己ＩＤとは異なる宛先を指定する送信先指定情報を送信する；
ネットワーク書画保管方法。
【００３１】
これによれば、ユーザＩＤ認証によって保護される情報サーバ(1a-1c)の書画情報に、携帯通信装置(3a)でアクセスして、身近な出力装置(4/6a/6b/3b)に転送して利用できるので、広域ネットワーク(2)上で書画保管サービスを提供でき、書画が必要になったらいつでも書画にアクセスできる。
【００３２】
本発明の他の目的および特徴は、図面を参照した以下の実施例の説明より明らかになろう。
【００３３】
【実施例】
図１に、本発明のシステム構成の概要を示す。ユーザ管理サーバ１ａは、次のようなテーブルを元に、ユーザの認証を行なうとともに、料金管理を行なう。
【００３４】
【表１】
2002281481.tif 000001
【００３５】
書画保管サーバ１ｂは、次の表２に示すようなテーブルで書画の保管を行なう。読み出しや削除が行なえるのは、所有ユーザのみであり、それ以外のユーザからのアクセスは拒絶する。書画は書画ＩＤが主キーである。表２に示した以外にも、登録日やキーワードなど、さまざまなプロパティを管理するようにもできる。適切な索引を生成することで、書画ＩＤ以外のプロパティによる検索もできる。
【００３６】
【表２】
2002281481.tif 000002
【００３７】
アプリケーションサーバ１ｃは、ＷＷＷネットワークすなわちインターネット２を通してユーザ（３ａ，３ｂ）と対話すると共に、ユーザ管理サーバ１ａ，書画保管サーバ１ｂの呼び出しを行なう。
【００３８】
図２に、アプリケーションサーバ１ｃの構成を示す。各構成手段の機能は、次のとおりである；
ＷＷＷサーバ１１：ＨＴＴＰ(Hyper Text Transfer Protocol)上でクライアント３ａ，３ｂとの通信を行なう。クライアント３ａ，３ｂから得た情報をサービス提供手段１２に伝える，
サービス提供手段１２：書画保管および出力のサービスの本体，
ユーザ認証手段１３：サービス提供手段１２から受け取ったユーザＩＤおよびパスワードを、ユーザ管理サーバ１ａに渡し、認証を依頼する。認証結果はサービス提供手段１２に戻す。
【００３９】
書画検索手段１４：サービス提供手段１２から受け取ったユーザＩＤを所有者とする書画の一覧取得を書画保管サーバ１ｂに依頼する。また指定された書画ＩＤの書画の内容または出力画像を書画保管サーバ１ｂから取得する，
料金管理手段１５：様々なサービスの利用料金を算出するための各種データを記憶している。指示されたサービスの料金を算出し、ユーザ管理サーバ１ａへ更新を依頼する。
【００４０】
書画作成アプリケーション管理手段１６：ワードプロセッサなどのアプリケーションやイメージデータのフオーマット変換を管理する。指示があれば、アプリケーションを起動し、渡された書画を画像データに変換する，
送信票作成手段１７：ユーザ情報と出力ページ情報を受け取り、送信票を画像として生成する，
ＦＡＸ送信手段１８：ＦＡＸ番号と画像データ，送信票を受け取り、所定の手順に従ってＦＡＸ送信する，
プリンタ管理手段１９：プリンタ６ａ，６ｂの所在、性能、料金、操作インタフェースなどの情報を管理するとともに、対象プリンタＩＤ，画像データ，送信票を受け取り、所定の手順に従ってデータをプリンタに送信する，
プリントキュー：プリンタへのデータ出力に必要な情報と、出力日時との組を管理する。
【００４１】
ユーザは、最初に一度だけ、ユーザ登録を行なう。するとユーザＩＤおよび認証データ（パスワードなど）が決定し、書画保管サーバ上でユーザが使用できるディスク領域が割り振られる。
【００４２】
図３の（ａ）に、ユーザのパソコン３ｂを用いて、アプリケーションサーバ１ｃにユーザ登録する過程を示す。ユーザは、パソコン３ｂを用いてアプリケーションサーバ１ｃにアクセスして、アプリケーションサーバ１ｃが与えた会員登録書式に住所，氏名，電話番号等の個人を特定する情報を入力し（ステップｓ１）、利用料金清算方法を指定して（ステップｓ２）、アプリケーションサーバ１ｃに返信する。これを受信して適正であるとアプリケーションサーバ１ｃはユーザにパスワードを定めて送信し（ステップｓ３）、ユーザは自己のＩＤを定めてアプリケーションサーバ１ｃに送信する（ステップｓ４）。アプリケーションサーバ１ｃはユーザに書画保管サーバ１ｂの利用エリア指標を定めて、これとユーザ情報をユーザ管理サーバ１ａに登録する。なお、以下においてカッコ内には、ステップという語を省略して、ステップＮｏ．記号のみを記す。
【００４３】
登録が終わればユーザは、パソコン３ｂを用いてアプリケーションサーバ１ｃにアクセスして、書画の登録，検索，読出し，改訂，削除などを自由に行なうことができる。これらの処理は、従来の書画保管システムと同様であるが、書画保管サーバ１ｂの、ユーザ宛ての領域（ユーザの書画）に対して行われる。
【００４４】
図３の（ｂ）に、ユーザのパソコン３ｂを用いて、アプリケーションサーバ１ｃに書画を登録する過程を示す。ユーザは、パソコン３ｂを用いてアプリケーションサーバ１ｃにアクセスして、アプリケーションサーバ１ｃが与える書画保管処理メニュー画面に、ユーザＩＤおよびパスワードを入力し（ｓ１１）、ファイルを指定し、書画のプロパティを指定し、登録を指定して、実行を指示する（Ｓ１２，ｓ１３，ｓ１４）。これに答えてアプリケーションサーバ１ｃが、書画保管サーバ１ｂの指定ファイルに、ユーザの書画を書き込む。
【００４５】
ユーザがローカルな（オフィス内や家庭内）パソコンＰＣ（たとえば３ｂ）上のディスクに書画を保管するのではなく、書画保管サーバ１ｂを使うのは、
インターネット上のどこからでも、書画にアクセスできる，
データのバックアップを自分で行なう必要がない，
書画の様々なプロパティをキーとして検索できる，
等の利点があるからである。
【００４６】
オフィスや家庭にユーザがいる場合、ＰＣ  ３ｂを用いて、アプリケーションサーバ１ｃにアクセスして書画保管サーバ１ｂから書画を取出し、表示することができる。しかしオフィス外，家庭外にいる時は自己のＰＣ  ３ｂを利用できないことも多い。その場合は、プリントサービスを行なっている最寄りの店舗などのプリンタやＦＡＸあるいは通信機能がある複写機に書画をプリントする。またはＰＣとプリンタが利用できる知人が近くにいれば、その人に書画をメールし、代りにプリントして貰うこともできる。
【００４７】
携帯電話やＰＤＡなど、ＷＷＷへのアクセス機能があれば、表示部は小さくても、アプリケーションサーバ１ｃにアクセスして書画保管サーバ１ｂから目的の書画を探し、プリント指示することができる。
【００４８】
図４の、ユーザ入力画面ＤＴ１〜ＤＴ８を参照して、書画をユーザの携帯電話３ａからプリント指示する場合の、ユーザの操作とアプリケーションサーバ１ｃの処理機能を説明する：
１．ユーザは携帯電話３ａをもちいて所定のＵＲＬ(Uniform Resource Language)を指定することで、アプリケーションサーバ１ｃに接続する，
２．ユーザＩＤおよびパスワードの入力を求める画面ＤＴ１，ＤＴ２が表示されるので、ユーザがそれらを入力し送信する，
３．アプリケーションサーバ１ｃは、そのユーザＩＤとパスワードをユーザ管理サーバ１ａに照会する，
４．照会が成功すれば、そのユーザが所有する書画の一覧を書画保管サーバ１ｂから得て、書画選択画面ＤＴ３を提示する，
５．ユーザが必要な書画を選択し送信する，
６．アプリケーションサーバ１ｃは、出力先（送信先デバイス種類）選択画面ＤＴ４を提示する。
７．ユーザが出力先を選択し送信する，
ａ．ユーザがＦＡＸを選んだ場合は、
（ａ１）アプリケーションサーバ１ｃは、ＦＡＸ番号の入力画面ＤＴ５を提示し、
ユーザがこれに送信先ＦＡＸ番号を入力して送信する，
（ａ２）アプリケーションサーバ１ｃは、書画内容をＦＡＸ用画像データに
変換し、指定されたＦＡＸ番号宛に送信する，
ｂ．メールを選んだ場合は、
（ｂ１）アプリケーションサーバ１ｃは、メールアドレスの入力画面ＤＴ６
を提示し、ユーザがこれに送信先アドレスを指定して送信する，
（ｂ２）アプリケーションサーバ１ｃは、書画内容をメールとして、
指定されたアドレス宛に送信する，
ｃ．プリンタを選んだ場合は、
（ｃ１）アプリケーションサーバ１ｃは、ユーザが利用可能なプリンタの
選択画面ＤＴ７を提示し、ユーザがプリンタを選択して送信し、
（ｃ２）アプリケーションサーバ１ｃは、書画内容をプリンタ用画像データ
に変換し、指定されたプリンタに出力する，
８．アプリケーションサーバ１ｃは、ユーザ管理サーバ１ａに、ユーザＩＤと利用料金を渡す。ユーザ管理サーバ１ａは、そのユーザの課金情報を更新する。
【００４９】
−プリンタの選択画面−
プリンタの選択画面ＤＴ７を提示するには、アプリケーションサーバ１ｃにプリンタの所在地と機種を登録しておき、ユーザが場所と機種を指定して、アプリケーションサーバ１ｃが検索する方法も利用できる。しかし、ユーザが、自分が利用する可能性があるプリンタを、あらかじめＰＣ３ｂを用いてアプリケーションサーバ１ｃ（ユーザ管理サーバ１ａ）に、わかりやすい名前をつけて登録しておき、その名前の一覧からプリンタを選択する方法をとれば、プリンタの選択操作は簡便になる。
【００５０】
−書画情報の変換−
書画は、画像（イメージ）である場合もあれば、ワードプロセッサなどのアプリケーション固有のデータ（テキスト）である場合もある。ＦＡＸやプリンタ又は複写機に書画を出力するには、それからが受理し画像展開できる形式の画像データに変換する。書画に画像（イメージ）がある場合の、この画像送出処理を、図３の（ｃ）に示す。該画像がありそれが一般的なイメージ処理のものであると、画像情報をそのまま送出する（ｓ２１，ｓ２２，ｓ２３）。該画像が、書画作成アプリケーション管理手段１６が保持するアプリケーションで変換すべきものであると、該変換をしてから送出する（ｓ２２，ｓ２４，ｓ２５）。該画像が、特殊なアプリケーションで変換すべきもので、該アプリケーションが書画作成アプリケーション管理手段１６に無い場合は、該画像の送出はしない（ｓ２４，ｓ２６）。
【００５１】
メールで送出する場合も、その書画を作成したアプリケーションが受信側ＰＣで利用できるとは限らないので、一般的な形式（ＴＩＦＦやＪＰＥＧなど）の画像データに変換してから送信する方がよい。アプリケーションサーバ１ｃ（または別のサーバ１ａ／１ｂでもよい）上に、一般的なワードプロセッサおよびイメージプロセッサなどが動作するようにしてあれば、その形式の書画は、送信時に対応するワードプロセッサソフト（プログラム），イメージプロセッサソフト（プログラム）などを用いて画像データに変換することができる。
【００５２】
しかし用意できるアプリケーションプログラムは限定されるので、オリジナル書画と対応する一般的な形式の画像データをユーザに用意してもらい、それを書画保管サーバ１ｂで管理しておくことが、より汎用性が高い。
【００５３】
そこで本実施例では、書画保管サーバ１ｂは、表２に示すように、オリジナル書画に加えて、それを画像に変換したデータも登録するようにしている。このように画像データを登録するか否かはユーザの判断にまかされる。
【００５４】
−プリント時間の予約−
プリンタに出力する場合、日中はプリンタの利用が多くて、プリント完了までの待ち時間が長くなってしまう恐れがある。これを避けるには、時間帯によってプリント料金に差を設け、プリンタの空く時間帯（深夜など）にユーザの利用を誘導することが役立つ。
【００５５】
このようなことも可能になる様に、アプリケーションサーバ１ｃは、次のようにしてプリントする日時を調整するようにした：
１．ユーザがプリンタ選択を行なったあと、アプリケーションサーバ１ｃ
は、プリント日時予約画面ＤＴを提供する。
【００５６】
２．ユーザがプリント日時を指定し送信する，
３．アプリケーションサーバ１ｃは、そのプリント予約キューの適切な場所に、
そのプリントジョブを投入する，
４．アプリケーションサーバ１ｃは、定期的にプリント予約キューを調べ、
実際の日時に予約日時がマッチするプリントジョブを実行する。
【００５７】
−書画の出力票−
プリンタやＦＡＸ又は複写機に書画を出力した場合、ユーザがすぐにそのプリントを受け取るとは限らない。離れた場所にいてプリントを指示した後、時間をおいてからプリントの受け取りを行なうことも多い。そこで、プリンタやＦＡＸ又は複写機に書画を出力した場合、アプリケーションサーバ１ｃは、ユーザＩＤやユーザの氏名などのユーザ情報と、プリントした紙の総ページ数を記載した出力票を同時に出力する。この出力票を元にして、プリントした紙の管理や、ユーザへのプリントの受け渡し時の確認を、プリントサービス実施者は容易に行なうことができる。
【００５８】
【発明の効果】
認証情報によって保護される情報サーバ(1a-1c)の書画情報に、携帯通信装置(3a)でアクセスして、身近な出力装置(4/6a/6b/3b)に転送して利用できるので、広域ネットワーク(2)上で書画保管サービスを提供でき、書画が必要になったらいつでも書画にアクセスできる。
【図面の簡単な説明】
【図１】  本発明の一実施例のシステム概要を示すブロック図である。
【図２】  図１に示すアプリケーションサーバ１ｃの機能構成を示すブロック図である。
【図３】  （ａ）は、ユーザがパソコン３ｂを用いてアプリケーションサーバ１ｃに自己を利用者として登録する時の、ユーザの操作ｓ１，ｓ２，ｓ４とアプリケーションサーバ１ｃの応答ｓ３を示すフローチャートである。（ｂ）は、ユーザがパソコン３ｂを用いてアプリケーションサーバ１ｃに書画情報を登録する時の、ユーザの操作を示すフローチャートである。（ｃ）は、アプリケーションサーバ１ｃが書画保管サーバから読出した画像（イメージ）を送出する経過を示すフローチャートである。
【図４】  ユーザが携帯電話３ａを用いてアプリケーションサーバ１ｃにアクセスして書画保管サーバ１ｂに保管している書画の送信を支持する時の、アプリケーションサーバ１ｃがユーザが携帯電話３ａに与える入力画面ＤＴ１〜ＤＴ８を示す平面図である。
【符号の説明】
ＤＴ１〜ＤＴ８：入力画面